(57)【特許請求の範囲】
【請求項１】
上下方向が開放された断面が矩形の筒状体の一組の対向する壁面の内面に一方に開口部を有する袋状のフィルターが上側に開口部を有するように固定されて収納され、前記一組の対向する壁面のそれぞれの上縁に２つの支持板のそれぞれの一方の端縁が折り曲げ自在に連接されると共に、他方の端縁に切欠部が設けられ、さらに前記筒状体の他の一組の対向する壁面のそれぞれの上縁に２つの固定板が折り曲げ自在に連接されると共に、前記他の一組の対向する壁面および前記２つの固定板の上下方向全長に亘って折罫がそれぞれに設けられ、そして前記２つの支持板および前記２つの固定板を前記筒状体の外側面に沿うように折り曲げられたドリッパーであって、前記２つの支持板のそれぞれの他方の端縁に設けられた切欠部をカップ壁面に挿入するように構成したことを特徴とするドリッパー。
【発明の詳細な説明】
【０００１】
【発明の属する技術分野】
本発明は、レギュラーコーヒー粉、紅茶、緑茶等を漉す時に使用するドリッパーに関するものであり、さらに詳しくは、簡単に起立して使用することができ、かつ、カップに安定した状態で載置固定できると共に使い捨てタイプのドリッパーに関するものである。
【０００２】
【従来の技術】
従来から缶、瓶、あるいは、包装袋に収納されたレギュラーコーヒー粉、紅茶、緑茶等を愛飲するに際して、漉し器の準備や洗浄等の手間が不要で、使い勝手もよいといったことから、使い捨てタイプのドリッパーが開発され、たとえば、実公平２−２３２０６号公報、実公平３−３１２３８号公報に開示されているものなどがある。いずれのものも、折り畳み可能な紙製の器板の内部に漏斗状フィルターを取り付けて構成したドリッパーであって、折り畳まれた紙製の器板を起立させると共に、折り畳まれた紙製の器板に設けられた凸起あるいは切込や切欠部を利用してカップ壁面にドリッパーを載置固定し、缶、瓶、あるいは、包装袋に収納されたレギュラーコーヒー粉、紅茶、緑茶等を漏斗状フィルター内に充填すると共に、この状態で熱湯を漏斗状フィルター内に注ぐことにより、カップ内にレギュラーコーヒーや紅茶、緑茶等を得ることができるようになっている。
【０００３】
しかし、上記開示されたものは、いずれも断面が３角形をした筒状形状であって、たとえば、実公平３−３１２３８号公報に開示されたものは、断面が３角形の一辺を形成する壁面がない形態であって、半折部上部の突起部にフィルター側に折込む折込部を設けることにより、起立させたドリッパーをすぼむことなくカップ壁面に載置固定可能にしたものであり、この折込部を設けたことにより、起立させたドリッパーが自然にすぼむことを防止でき、熱湯等を注ぐ開口部が確保できる点で一応の効果を得ることができるものであるが、元々開口部が小さいために、熱湯を注ぐ際には注意を払わねばならないことと、熱湯を注ぐにつれて熱湯の重量により開口部がさらに小さくなり、ますます細心の注意を必要とするといった問題がある。
【０００４】
また一方、実公平２−２３２０６号公報に開示されたものは、折り畳まれた紙製の器板を起立させることにより、３つの壁面を有する断面が３角形をした筒状形状のドリッパーとするものであり、３つの壁面のうちで１つの壁面に設けられた縦折曲線により折り畳みが可能になっているものである。そのために、折り畳まれた紙製の器板を起立させても、縦折曲線を有する壁面は、該縦折曲線の折り癖のために、すぼむ力が働く。これを防止するために縦折曲線を有する壁面に起立支持片を折り曲げ自在に穿設し、折り畳まれた紙製の器板を起立させてドリッパーとするときに、この起立支持片を縦折曲線を有する壁面の外側に折り曲げることで前記すぼむ力を制御するものであり、実公平３−３１２３８号公報に開示されたものと比較すると、起立させたドリッパーをより安定した状態でカップ壁面に載置固定可能にしたものである。しかし、前記起立支持片を設けた壁面と対向する位置にある角部を形成する縦折曲線の折り癖は相当に強いものであり、取り扱い方によっては元の状態にもどり、折り畳まれた紙製の器板を起立させて設けた開口部がすぼむ場合があり、これについても熱湯を注ぐ際には注意を払わねばならないといった問題がある。また、上記いずれのものもドリッパーの壁面の下部でカップ壁面に載置固定するものであり、ドリップしたものがカップの外側にこぼれる危険性をはらんでいる。
【０００５】
【発明が解決しようとする課題】
そこで本発明は、かかる問題点に鑑みてなされたものであり、折り畳みが可能で使用時に簡単に起立させることができるドリッパーであって、起立させたドリッパーを安定した状態でカップ壁面に載置固定することができると共に、特にカップ壁面に載置固定後は、起立させて設けた開口部がすぼむことがなく、安心して使用することができ、また、ドリップしたものがカップの外側にこぼれる危険性のない使い捨てタイプのドリッパーを提供することにある。
【０００６】
【課題を解決するための手段】
本発明者は、上記目的を達成するために、請求項１に記載の発明のドリッパーは、上下方向が開放された断面が矩形の筒状体の一組の対向する壁面の内面に一方に開口部を有する袋状のフィルターが上側に開口部を有するように固定されて収納され、前記一組の対向する壁面のそれぞれの上縁に２つの支持板のそれぞれの一方の端縁が折り曲げ自在に連接されると共に、他方の端縁に切欠部が設けられ、さらに前記筒状体の他の一組の対向する壁面のそれぞれの上縁に２つの固定板が折り曲げ自在に連接されると共に、前記他の一組の対向する壁面および前記２つの固定板の上下方向全長に亘って折罫がそれぞれに設けられ、そして前記２つの支持板および前記２つの固定板を前記筒状体の外側面に沿うように折り曲げられたドリッパーであって、前記２つの支持板のそれぞれの他方の端縁に設けられた切欠部をカップ壁面に挿入するように構成したことを特徴とするものである。このように構成することにより、折り畳みが可能で使用時に簡単に起立させることができると共に、起立させたドリッパーを安定した状態でカップ壁面に載置固定することができ、特にカップ壁面に載置固定後は、起立させて設けた開口部がすぼむことがなく、安心して使用することができる。また、ドリップしたものがカップの外側にこぼれることもない。
【０００７】
【発明の実施の形態】
上記の本発明について、具体的な実施形態を図面等を用いて以下に更に詳しく説明する。
図１は本発明にかかるドリッパーの一実施例を示す斜視図、図２は図１の展開図、図３はフィルターの平面図、図４は本発明にかかるドリッパーを作製する時の説明図、図５は本発明にかかるドリッパーの折り畳まれた平面図であり、図中の１はドリッパー、１’はブランク板、２は前面板、３，５は側面板、４は背面板、６は糊付片、７，８は支持板、９，10は固定板、11は切欠部、12は熱接着部、13，14は固定部、21，22，23，24，31，32，33，34，35，36は折罫、50は筒状体、60はフィルター、70はカップ、Ａは投入口をそれぞれ示す。
【０００８】
まず、図１は本発明にかかるドリッパーの一実施例を示す斜視図であって、ドリッパー１は、前面板２、背面板４、および、両側面板３、５からなる上下方向が開放された断面が矩形の筒状体50の内面に、一方に開口部を有する袋状のフィルター60が上側に前記開口部を有するように少なくとも前記フィルター60の開口部側上縁と前記前面板２と前記背面板４の上縁側部とを何等かの固定手段により固定されて収納されることにより、レギュラーコーヒー粉、紅茶、緑茶等の被抽出物を充填したり、熱湯を注いだりする投入口Ａを形成している。また、前記前面板２と前記背面板４のそれぞれの上縁に折罫31、32を介して支持板７、８のそれぞれの一方の端縁が折り曲げ自在に連接されている。また、前記両側面板３、５には、それぞれの上縁に折罫33、34を介して固定板９、10が折り曲げ自在に連接されると共に、前記両側面板３、５および前記固定板９、10には、前記上下方向の全長に亘って折罫35、36が設けられ、前記固定板９、10を前記折罫33、34で前記筒状体50の外側に沿うように折り曲げられて、前記筒状体50が前記筒状体50に設けられた前記折罫35、36の影響で前記筒状体50の投入口Ａがすぼむのを防止している。さらに、前記支持板７、８のそれぞれの他方の端縁に切欠部11が２箇所ずつ設けられると共に、この切欠部11をカップ70の壁面に挿入することにより、カップ70に載置固定されるように構成されているので、極めて安定した状態でドリッパー１を載置固定できる。その結果、被抽出物がフィルター60内に投入されたドリッパー１に前記投入口Ａから熱湯を注ぎ入れても絶対に前記投入口Ａがすぼむことがなく、安心して熱湯を注ぎ入れることができる。ところで、ドリッパー１の前記筒状体50の前記上下方向の長さは、ドリッパー１を前記切欠部11でカップ70の壁面に載置固定した時に前記筒状体50の下縁がカップ70の上縁よりカップ内側に位置するように設定するのが好ましい。このように構成することにより、ドリップされた液体がカップの外側にこぼれるのを完全に防止することができる。
【０００９】
図２は図１の展開図であって、ドリッパー１は、前面板２、側面板３、背面板４、側面板５、糊付片６が折罫21、22、23、24を介して順次連接され、前記前面板２および前記背面板４のそれぞれの上縁には折罫31、32を介して支持板７および８の一方の端縁が連接されると共に前記支持板７および８の他方の端縁には、それぞれ２箇所に切欠部11が設けられている。さらに、前記側面板３および５の上縁には折罫33および34を介して固定板９、10が連接されると共に、前記折罫33および34に対して垂直であって、前記側面板３と前記固定板９および前記側面板５と前記固定板10をそれぞれ２等分する折罫35、36が設けられたブランク板１’と図３に示す別に用意された一方に開口部を有する袋状のフィルター60とから構成されている。
【００１０】
ところで、固定板９、10は、前記側面板３および５の上縁に前記折罫33および34を介して連接されると共に、前記折罫33および34に対して垂直であって、前記側面板３および５も含めて２等分可能な折罫35、36が設けられると共に本発明の目的に沿う形状、大きさであれば、いかなる形状、大きさであってもよい。また、前記支持板７および８の形状、大きさについても、本発明の目的に沿う形状、大きさであればいかなる形状、大きさであっても構わない。なお、ブランク板１’の材質としては、ドリッパーとしたときに保形可能なものであって、耐水性があり、下記するドリッパー作製時にフィルターやブランク板同士を熱接着や接着剤等の手段で固定できるものであれば特に限定されるものではなく、たとえば、腰のある耐水紙、あるいは、カード紙等の腰のある紙の片面ないし両面にポリエチレン等の熱可塑性樹脂を塗工したものを例示することができる。
【００１１】
また、図３に示す前記フィルター60は、矩形状の通水性と熱接着性を有する基材を２枚重ね合わせて三辺の端縁部と両コーナー部を逆ハの字状（図３上）に熱接着した熱接着部12により、一辺に開口部を有する漏斗状の袋としたものである。このフィルター60についても、図３に示す実施例に限ることはなく、図示はしないが、たとえば、矩形状の通水性と熱接着性を有する基材を折り返し、この折り返し部に隣接する２辺の端縁部を熱接着すると共に前記折り返し部の両コーナー部を上記同様に逆ハの字状に熱接着することにより、一方に開口部を有する漏斗状の袋としたものであってもよいし、また、逆ハの字状の熱接着部を有さない、すなわち、端縁部のみを熱接着した一方に開口部を有する袋としたものであってもよい。
【００１２】
本発明のドリッパー１を作製するには、まず、図４に示すように、ブランク板１’の背面板４を中心にして該背面板４と側面板３、５に当接するようにフィルター60を設けると共に、前記フィルター60の前記背面板４と当接している側の面を前記背面板４と図４に示した固定部13で熱接着あるいは接着剤等の固定手段を用いて固定し、次に前記側面板５と固定板10の図４上で左側部と前記側面板５に折罫24を介して連接する糊付片６とを折罫36で前記フィルター60上に折り重ね、さらに前記側面板３と固定板10の図４上で右側部とこの側面板３に折罫21を介して連接する前面板２と該前面板２に折罫31を介して連接する支持板７を折罫35で前記フィルター60および前記糊付片６上に折り重ねて、前記フィルター60の前記前面板２と当接している側の面を前記前面板２と図４に示した固定部14で熱接着あるいは接着剤等の固定手段を用いて固定し、次に前記糊付片６と前記前面板２の内面を熱接着あるいは接着剤等の固定手段を用いて固定することにより、図５に示す折り畳まれた状態のドリッパー１を得ることができる。
【００１３】
この図５に示す折り畳まれた状態のドリッパー１は、まず、側面板３、５に設けられた折罫35、36の部分を互いに接近するように押圧を加えて、折罫21、22（図示せず）、23（図示せず）、24を角とし、前面板２、背面板４、両側面板３、５を壁面とする断面矩形の筒状体50となして後に、固定板９、10を折罫33、34で前記筒状体50の外面側に折り返して前記筒状体がすぼまないように固定し、その後に前記支持板７、８を折罫31、32で前記筒状体50の外面側に折り返すと共に支持板７、８に設けた切欠部11をカップ壁面に挿入することにより、図１に示すようにカップ上に起立した状態で安定して載置固定することができ、使用可能な状態となる。この状態で、レギュラーコーヒー粉、紅茶、緑茶等の被抽出物をフィルター10内に充填すると共に、熱湯を注ぐことによりカップ内に所望の飲料を得ることができる。
【００１４】
なお、図５に示す２箇所の前記切欠部11は支持板７の左右の端縁（図５上）から等距離の位置に設けられていると共に、支持板８に設けられた２箇所の切欠部11は支持板７に対して面対称の位置に設けられている（図５上）。また、前記切欠部11は本実施例で示した形状に限るものではなく、要するにカップ壁面に挿入可能で、かつ、安定して載置固定できる形状であれば、いかなる形状であっても構わない。また、フィルター60をブランク板１’に固定する固定部13（あるいは固定部14）についても本実施例で示した形状、位置に限るものではなく、ブランク板１’にフィルター60を確実に固定することができ、かつ、レギュラーコーヒー粉、紅茶、緑茶等の被抽出物が充填されたフィルター60を有するドリッパー１に熱湯を注いだ際に、ドリップ可能であれば、いかなる形状、位置であってもよい。
【００１５】
ところで、今までは本発明のドリッパー自体について説明してきたが、本発明のドリッパーは、たとえば、レギュラーコーヒー粉、紅茶、緑茶等の被抽出物をフィルター内に充填し、フィルターの開口部を熱接着して被抽出物が洩れない状態にし、このものを適当な外装で包装して流通、販売等を行うこともできる。
【００１６】
【発明の効果】
本発明のドリッパーは、折り畳みが可能で使用時に簡単に起立させることができ、かつ、起立させたドリッパーを安定した状態でカップ壁面に載置固定することができ、特にカップ壁面に載置固定後は、起立させて設けた開口部がすぼむことがなく、安心して使用することができると共に、ドリップしたものがカップの外側にこぼれることも完全に防止することができるという効果を奏するものである。
【図面の簡単な説明】
【図１】  本発明のドリッパーの一実施例を示す斜視図である。
【図２】  図１の展開図である。
【図３】  フィルターの平面図である。
【図４】  本発明のドリッパーを作製する時の説明図である。
【図５】  本発明のドリッパーの折り畳まれた状態を示す平面図である。
【符号の説明】
１                                ドリッパー
１’                              ブランク板
２                                前面板
３，５                            側面板
４                                背面板
６                                糊付片
７，８                            支持板
９，10                            固定板
11                                切欠部
12                                熱接着部
13，14                            固定部
21，22，23，24                    折罫
31，32，33，34，35，36            折罫
50                                筒状体
60                                フィルター
70                                カップ
Ａ                                投入口
【図１】
0003998852.tif 000002
【図２】
0003998852.tif 000003
【図３】
0003998852.tif 000004
【図４】
0003998852.tif 000005
【図５】
0003998852.tif 000006